(57)【要約】【課題】新たに開店した店舗等に関する広告情報の広告効果を高めて提供する。【解決手段】情報処理装置は、所定期間内にサービスの提供を開始した第１店舗に関する広告情報を取得することと、第１車両に設けられ、第１車両の外部に向けて情報を表示させる表示部に、第１店舗以外の第２店舗に関する広告情報に優先させて第１店舗の広告情報を表示させることと、を実行する制御部を備える。【選択図】図９
2020076838.tif 000002
【特許請求の範囲】
【請求項１】
所定期間内にサービスの提供を開始した第１店舗に関する広告情報を取得することと、
第１車両に設けられ、前記第１車両の外部に向けて情報を表示させる表示部に、前記第１店舗以外の第２店舗に関する広告情報に優先させて前記第１店舗の広告情報を表示させることと、
を実行する制御部を備える情報処理装置。
【請求項２】
前記制御部は、前記第１車両を追走する第２車両の走行に関する履歴情報を取得することと、
前記第１店舗の中から、前記第２車両の走行に関する履歴情報内に記録が残されていない第３店舗に関する広告情報を前記第２店舗に関する広告情報に優先させて表示させること、をさらに実行する請求項１に記載の情報処理装置。
【請求項３】
前記制御部は、前記第１車両を追走する第２車両の目的地に関する目的地情報および前記目的地までの経路に関する経路情報を取得することと、
前記第１店舗の中から、前記目的地情報および前記経路情報に関連する第４店舗に関する広告情報を前記第２店舗に関する広告情報に優先させて表示させること、をさらに実行する請求項１に記載の情報処理装置。
【請求項４】
所定期間内にサービスの提供を開始した第１店舗に関する広告情報を取得することと、
第１車両に設けられ、前記第１車両の外部に向けて情報を表示させる表示部に、前記第１店舗以外の第２店舗に関する広告情報に優先させて前記第１店舗の広告情報を表示させることと、
を含む情報処理方法。
【請求項５】
所定期間内にサービスの提供を開始した第１店舗に関する広告情報を取得することと、
第１車両に設けられ、前記第１車両の外部に向けて情報を表示させる表示部に、前記第１店舗以外の第２店舗に関する広告情報に優先させて前記第１店舗の広告情報を表示させることと、
をコンピュータに実行させるプログラム。
【発明の詳細な説明】
【技術分野】
【０００１】
本発明は、車両を広告の表示媒体とするシステムの情報処理装置、情報処理方法およびプログラムに関する。
【背景技術】
【０００２】
近年、車両等の移動体における情報通信技術が高度化している。また、移動体を広告等の表示媒体として利用することが提案されている。例えば、特許文献１は、後続する車両から車車間通信を介して個人的嗜好を取得し、この嗜好に応じた広告コンテンツを車両後方に表示する、とされる技術を開示する。
【先行技術文献】
【特許文献】
【０００３】
【特許文献１】特開２０１６−６６３５８号公報
【発明の概要】
【発明が解決しようとする課題】
【０００４】
ところで、車両を使用する若者や女性等においては、自身の属性に捕らわれずに、新たな店舗に関する情報、例えば、自身の生活領域内に新たに開店した店舗等の広告を期待する場合も想定される。そこで、本発明の目的は、新たに開店した店舗等に関する広告情報の広告効果を高めて提供することにある。
【課題を解決するための手段】
【０００５】
本発明の態様の一つは、情報処理装置として例示される。本情報処理装置は、所定期間内にサービスの提供を開始した第１店舗に関する広告情報を取得することと、第１車両に設けられ、前記第１車両の外部に向けて情報を表示させる表示部に、前記第１店舗以外の第２店舗に関する広告情報に優先させて前記第１店舗の広告情報を表示させることと、を実行する制御部を備える。
【０００６】
また、本発明の他の態様の一つは、情報処理方法として例示される。本発明は、所定期間内にサービスの提供を開始した第１店舗に関する広告情報を取得することと、第１車両に設けられ、前記第１車両の外部に向けて情報を表示させる表示部に、前記第１店舗以外の第２店舗に関する広告情報に優先させて前記第１店舗の広告情報を表示させることと、を含む情報処理方法であってもよい。
【０００７】
また、本発明の他の態様の一つは、コンピュータに実行させるプログラムとして例示される。本発明は、所定期間内にサービスの提供を開始した第１店舗に関する広告情報を取得することと、第１車両に設けられ、前記第１車両の外部に向けて情報を表示させる表示部に、前記第１店舗以外の第２店舗に関する広告情報に優先させて前記第１店舗の広告情報を表示させることと、をコンピュータに実行させるプログラム、または、当該プログラムを非一時的に記憶したコンピュータ可読記憶媒体であってもよい。
【発明の効果】
【０００８】
本発明によれば、新たに開店した店舗等に関する広告情報の広告効果を高めて提供できる。
【図面の簡単な説明】
【０００９】
【図１】第１実施形態に係る広告システムのシステム構成の一例を示す図である。
【図２】車両に設けられた表示装置の位置を説明する図である。
【図３】広告情報の選定を説明する図である。
【図４】広告配信サーバ、車載装置の各ハードウェア構成の一例を示す図である。
【図５】車載装置の機能構成の一例を示す図である。
【図６】広告配信サーバの機能構成の一例を示す図である。
【図７】ユーザ情報ＤＢに格納されるユーザ情報の一例を示す図である。
【図８】広告情報ＤＢに格納される広告情報の一例を示す図である。
【図９】広告配信サーバ、車載装置が実行する処理手順の一例を示すシーケンス図である。
【図１０】Ｓ７の詳細な処理の一例を示すフローチャートである。
【図１１】Ｓ８の詳細な処理の一例を示すフローチャートである。
【図１２】変形例２における、Ｓ７の詳細な処理の一例を示すフローチャートである。
【発明を実施するための形態】
【００１０】
本実施の形態に係る広告配信サーバは、車両外部に向けて情報を表示可能な車両に対して、新たに開店した店舗等の広告情報の広告効果を高めて表示させる広告システムの情報処理装置である。車両として、例えば、車両後方に向けて広告情報を表示させるための表示装置を有するバスやタクシー等の公共の交通機関、広告宣伝者の他、トラックやＳＵＶ（Sport Utility Vehicle）、セダン等の一般車両が例示される。車両に搭乗するユーザ
は、上記車両を用いた移動を利用する利用者、あるいは、表示された広告情報の示すサービスを享受する消費者ということもできる。
【００１１】
本実施形態に係る広告配信サーバは、所定期間内にサービスの提供を開始した第１店舗に関する広告情報を取得する構成とした。所定期間は、１か月、３か月といった単位期間が予め広告システムで設定される。そして、広告配信サーバは、第１車両に設けられ、第１車両の外部に向けて情報を表示させる表示部に、第１店舗以外の第２店舗に関する広告情報に優先させて第１店舗の広告情報を表示させる構成とした。このような構成によれば、第１店舗に関する広告情報を、他の広告情報に優先させて第１車両の表示部に表示できるため、新たに開店した店舗等に関する広告情報の広告効果を高めて提供できる。
【００１２】
広告配信サーバは、第１店舗の中から、第１車両を追走する第２車両の走行に関する履歴情報内に記録が残されていない第３店舗に関する広告情報を第２店舗に関する広告情報に優先させて表示させるようにしてもよい。第２車両のユーザが未だ訪問したことのない、新たに開店した店舗等に関する広告情報が提供できる。
【００１３】
また、広告配信サーバは、第２車両の目的地に関する目的地情報および目的地までの経路に関する経路情報を取得し、第１店舗の中から、目的地情報および経路情報に関連する第４店舗に関する広告情報を第２店舗に関する広告情報に優先させて表示させるようにしてもよい。第２車両のユーザの、行先情報に対応した、新たに開店した店舗等に関する広告情報が目的地に至るまでの間、継続して提供できる。
【００１４】
以下、図面を参照して、一実施の形態を説明する。以下の実施形態の構成は例示であり、発明を実施するための態様は、以下に説明する実施形態の構成には限定されない。
【００１５】
＜第１実施形態＞
（システム概要）
図１は、第１実施形態に係る広告システム１のシステム構成の一例を示す図である。図１の広告システム１は、車両外部に向けて広告情報を表示可能な車両に対して、新たに開店した店舗等の広告効果を高めて表示させるシステムである。広告情報には、広告主（商
品やサービスを提供する企業、代理店等）が提供する静止画像や動画像（映像）、メッセージ情報等の広告コンテンツや、特典情報（クーポンやポイント、割引き等）が含まれる。
【００１６】
第１実施形態に係る広告システム１は、ネットワークＮ１によって相互に接続される広告配信サーバ１０と、複数の車両のそれぞれに搭載される車載装置（２０＃１〜２０＃ｎ）と、を含んで構成される。広告配信サーバ１０は、「情報処理装置」の一例である。ネットワークＮ１は、例えば、インターネット等の公衆ネットワークである。但し、ネットワークＮ１は、ＷｉＦｉ（登録商標）等の無線通信、ＬＴＥ、ＬＴＥ−Ａｄｖａｎｃｅｄ、３Ｇ等の携帯電話網の無線ネットワーク、ＶＰＮ（Virtual Private Network）等の専
用ネットワーク、ＬＡＮ（Local Area Network）等のネットワークを含んでよい。
【００１７】
また、車載装置（２０＃１〜２０＃ｎ）同士は、ネットワークＮ２を通じて直接に通信可能である。ネットワークＮ２は、例えば、車車間通信や路車間通信を可能とする第５世代移動通信システム（５Ｇ）、の無線通信ネットワークである。但し、ネットワークＮ２は、ＵＷＢ（Ultra-Wideband）、ＷｉＦｉ、ＢＬＥ（Bluetooth（登録商標） Low Energy）等を含んでもよく、ネットワークＮ１に含まれてもよい。以下では、各車両に搭載された車載装置（２０＃１〜２０＃ｎ）同士は、ネットワークＮ２を介して車車間通信を行うものとして説明する。
【００１８】
図１は、１台の広告配信サーバ１０と、複数の車両（Ｖ１＃１〜Ｖ１＃ｎ）のそれぞれに搭載された車載装置（２０＃１〜２０＃ｎ）とを代表的に例示している。第１実施形態に係る広告システム１のネットワークＮ１には、複数の広告配信サーバ１０が接続され得る。以下では、複数の車両（Ｖ１＃１〜Ｖ１＃ｎ）を総称して単に「車両Ｖ１」とも称し、複数の車載装置（２０＃１〜２０＃ｎ）を総称して「装置２０」とも称す。また、広告配信サーバ１０を単に「サーバ１０」とも称す。
【００１９】
車両Ｖ１は、車両外部に向けて広告情報を表示させる表示装置を備える車両である。表示装置は、例えば、表示された広告情報を、車両Ｖ１の周囲に存在する閲覧者が車両外部側から視認可能なように当該車両の車体の外壁等に複数に設けられる。表示装置は、ＬＣＤ（Liquid Crystal Display）等の液晶ディスプレイ、有機ＥＬ（Electro-Luminescence）ディスプレイ、ＬＥＤマトリクス（Light Emitting Diode）、プロジェクタなどを用いて構成される。
【００２０】
車両Ｖ１の装置２０は、例えば、サーバ１０から配信された広告コンテンツのデータ（広告データ）を含む広告情報を受信する。そして、車両Ｖ１は、自車両の備える複数の表示装置を介し、外部に対して広告データに基づく静止画像、スライドショー、動画像（映像）、メッセージ情報等の広告コンテンツを表示させる。
【００２１】
図２は、車両Ｖ１に設けられた表示装置の位置を説明する図である。図２においては、車両Ｖ１を構成する車体の外壁に配置された複数の表示装置が例示される。表示装置は、例えば、左側面、右側面、車両後方、車両上方など、複数の位置に配置される。なお、車両Ｖ１が備える表示装置の数は、当該車両のタイプや車種によって異なる。例えば、車両Ｖ１がトラックである場合には、左側面、右側面、車両後方、車両上方の４箇所に表示装置を配置できる。また、車両Ｖ１がセダンである場合には、左側面（前ドア）、左側面（後ドア）、右側面（前ドア）、右側面（後ドア）、車両上方の５箇所に表示装置を配置できる。但し、表示装置の配置位置は、これ以外であってもよい。例えば、プロジェクタ等を備える場合には、映像を投影できる車両の窓ガラス（例えば、サイドウインドウ、リアウインドウ等）が配置位置として例示できる。
【００２２】
装置２０は、車両Ｖ１に搭載される車載装置である。装置２０には、当該装置を一意に識別する識別情報（装置ＩＤ）が予め付与される。装置ＩＤは、例えば、装置２０を搭載する車両Ｖ１を一意に識別する識別情報（例えば、自動車登録番号（ナンバープレートに標記された番号））と対応付けられて管理される。装置２０は、自車両の走行に係る状態を示す状態情報をサーバ１０に定期的、あるいは、サーバ１０からの要求に応じて送信する。状態情報として、例えば、車両Ｖ１の位置情報（緯度、経度等）、速度情報、進行方向を示す情報等が例示される。装置２０は、装置ＩＤとともに、自車両の状態情報をサーバ１０に送信する。なお、状態情報は、自車両に搭乗する搭乗者の入力操作等を介して設定された、走行予定の道路の識別情報（例えば、リンク番号）や交差点等の識別情報（例えば、ノード番号）を含んでもよい。
【００２３】
また、装置２０は、自車両に後続して追走する車両Ｖ１と、ネットワークＮ２を介した車車間通信を直接的に行う。以下、先行する車両Ｖ１を「先行車両＃１」とも称し、先行車両＃１に追走する車両Ｖ１を「追走車両＃２」とも称す。また、先行車両＃１に搭載される装置２０を「装置＃１」とし、追走車両＃２に搭載される装置２０を「装置＃２」として説明する。
【００２４】
本実施形態に係る先行車両＃１の装置＃１は、車車間通信を通じて、追走車両＃２の走行に関する履歴情報を取得する。走行に関する履歴情報として、例えば、目的地履歴、走行軌跡等が例示される。目的地履歴は、例えば、ナビゲーション機能を利用した際に設定入力された目的地の履歴情報である。また、また、走行軌跡は、所定距離（例えば、１０００ｋｍ等）内での、直近の走行地点を一定間隔（例えば、５ｋｍ等）で経路上に記録した履歴情報である。装置＃１は、取得した走行に関する履歴情報と追走車両＃２に搭載された装置＃２の装置ＩＤ、時刻情報等とを関連付けてサーバ１０に送信する。そして、装置＃１は、サーバ１０から配信された、追走車両＃２の走行に関する履歴情報に基づいて選択された店舗等の広告情報を車両後方に設けられた表示装置に表示させる。
【００２５】
本実施形態に係るサーバ１０は、車両Ｖ１向けに配信される広告情報を管理するコンピュータである。広告情報と、装置２０を搭載する車両Ｖ１に関する情報とをデータベースに保持する。装置２０を搭載する車両Ｖ１に関する情報には、当該車両Ｖ１のユーザの属性に関する属性情報（例えば、年齢や性別、職業、嗜好や趣味等）が含まれる。また、広告情報は、当該情報を一意に識別する識別情報（広告ＩＤ）が付与されて管理される。
【００２６】
サーバ１０は、例えば、広告主である企業や店舗、施設等が運営するサーバ装置を介して広告情報に関するデータを受け付け、データベースに登録する。広告主には、地域の公共機関、広告の配信を仲介する広告代理店等が含まれる。データベースに登録される広告情報には、店舗等の所在地を示す所在地情報や、店舗等の商品やサービス等の提供が開始された時期を示す開店情報が含まれる。
【００２７】
本実施形態に係るサーバ１０は、開店情報に基づいて、データベースに登録された広告情報の中から所定期間内に商品やサービス等の提供を開始した店舗等の広告情報を抽出して管理する。なお、広告情報を抽出するための所定期間は、広告システム１の運営者等により予め設定される。所定期間として、例えば、１か月、３か月といった月単位の期間が例示される。
【００２８】
また、サーバ１０は、先行車両＃１から送信された、追走車両＃２の走行に関する履歴情報、先行車両＃１の状態情報（位置情報、速度情報、進行方向等）を取得する。そして、本実施形態に係るサーバ１０は、先行車両＃１の位置情報、追走車両＃２の走行に関する履歴情報、店舗等の所在地を示す所在地情報、開店情報に基づいて、先行車両＃１に優先的に表示させる広告情報を選定する。
【００２９】
図３は、広告情報の選定を説明する図である。図３において、先行車両＃１、追走車両＃２は、車両外部に向けて広告情報を表示可能な表示装置を備える車両である。先行車両＃１には装置＃１が搭載され、追走車両＃２には装置＃２が搭載される。また、店舗Ｚ１、Ｚ２、Ｚ３は、所定期間内に商品やサービス等の提供を開始した店舗等である。先行車両＃１および追走車両＃２は、実線矢印で示される経路Ｒ１、または、経路Ｒ２を走行して、地点Ａから地点Ｂに移動するものとする。
【００３０】
経路Ｒ１に沿って移動が行われる際には、先行車両＃１および追走車両＃２は、店舗Ｚ１および店舗Ｚ３の所在地付近を走行する。サーバ１０は、先行車両＃１から送信された位置情報に基づいて、経路Ｒ１の所定範囲内に位置する店舗Ｚ１、Ｚ３の広告情報を選定する。ここで、所定範囲として、例えば、先行車両＃１が走行する現在位置を中心とする所定範囲（例えば、半径１０ｋｍ）内の領域が例示される。但し、所定範囲は、商品やサービスを提供する店舗等の所在地の地区名（町区丁）で指定される範囲でもよく、所在地を含む地域の標準地域メッシュコード、分割地域メッシュコード等で指定される範囲であってもよい。当該範囲内を先行車両＃１、追走車両＃２が走行するときには、当該範囲に対応する店舗等の広告情報が選定される。
【００３１】
サーバ１０は、選定した広告情報に優先表示させるための識別情報（識別子）を付与し、先行車両＃１に配信する。先行車両＃１は、例えば、車両後方に設けられた表示装置に配信された広告情報を優先させて表示させる。追走車両＃２には、所定期間内に商品やサービス等の提供を開始した新たな店舗Ｚ１、Ｚ３に関する広告情報が他の店舗等の広告情報に優先して提示される。以下では、優先表示させるための識別情報を「優先情報」とも言う。
【００３２】
また、先行車両＃１は追走車両＃２から、走行に関する履歴情報を取得し、当該履歴情報をサーバ１０に送信する。サーバ１０は、追走車両＃２の履歴情報に基づいて、当該履歴情報に走行の履歴記録が含まれない店舗等の広告情報を選定する。例えば、図３において、追走車両＃２の履歴情報には、店舗Ｚ１が含まれていないものとする。サーバ１０は、所定期間内に商品やサービス等の提供を開始した店舗の中から、追走車両＃２の走行に関する履歴情報に記録のない店舗Ｚ１の広告情報を選定する。そして、サーバ１０は、先行車両＃１から送信された位置情報に基づいて、経路Ｒ１の所定範囲内に位置する店舗Ｚ１の広告情報に優先表示させるための識別子を付与し、先行車両＃１に配信する。追走車両＃２には、当該追走車両のユーザが、未だ訪問したことのない新たな店舗Ｚ１に関する広告情報が他の店舗等の広告情報に優先して提示される。
【００３３】
経路Ｒ２に沿って移動が行われるときも同様である。図３に示すように、経路Ｒ２に沿って移動が行われる際には、先行車両＃１および追走車両＃２は、店舗Ｚ２および店舗Ｚ３の所在地付近を走行する。サーバ１０は、上記と同様にして、経路Ｒ２の所定範囲内に位置する店舗Ｚ２、Ｚ３の広告情報を選定し、当該広告情報に優先表示させるための識別情報（識別子）を付与し、先行車両＃１に配信する。追走車両＃２には、所定期間内に商品やサービス等の提供を開始した新たな店舗Ｚ２、Ｚ３に関する広告情報が他の店舗等の広告情報に優先して提示される。
【００３４】
また、サーバ１０は、追走車両＃２の履歴情報に基づいて、当該履歴情報に走行の履歴記録が含まれない店舗等の広告情報を選定する。例えば、図３において、追走車両＃２の履歴情報には、店舗Ｚ２が含まれていないものとする。サーバ１０は、所定期間内に商品やサービス等の提供を開始した店舗の中から、追走車両＃２の走行に関する履歴情報に記録のない店舗Ｚ２の広告情報を選定する。そして、サーバ１０は、先行車両＃１から送信された位置情報に基づいて選定された、経路Ｒ２の所定範囲内に位置する店舗Ｚ２の広告
情報に優先表示させるための識別子を付与し、先行車両＃１に配信する。追走車両＃２には、当該追走車両のユーザが、未だ訪問したことのない新たな店舗Ｚ２に関する広告情報が他の店舗等の広告情報に優先して提示される。
【００３５】
なお、先行車両＃１は、自車両の速度が予め設定された閾値（例えば、２０ｋｍ／ｈ）を下回ることを条件に、追走車両＃２の履歴情報に基づいて選定された広告情報を車両後方に表示させてもよい。信号待ちや右左折等で減速する際に、追走車両＃２のユーザが所望する未だ訪問したことのない新たな店舗Ｚ２に関する広告情報を、走行に関する安全性を考慮して提示できる。
【００３６】
（ハードウェア構成）
図４は、サーバ１０、先行車両＃１に搭載される装置＃１、追走車両＃２に搭載される装置＃２の各ハードウェア構成の一例を示す図である。なお、装置＃１と装置＃２とは、同様の構成であり、以下においては「装置２０」として説明される。
【００３７】
図４において、サーバ１０は、例えば、汎用または専用のコンピュータである。サーバ１０は、バスによって相互に接続されたプロセッサ１０１、主記憶部１０２、補助記憶部１０３、通信部１０４を構成要素に備える。主記憶部１０２および補助記憶部１０３は、サーバ１０が読み取り可能な記録媒体である。上記の構成要素はそれぞれ複数に設けられてもよいし、一部の構成要素を設けないようにしてもよい。サーバ１０のプロセッサ１０１は、「制御部」の一例である。
【００３８】
プロセッサ１０１は、例えば、ＣＰＵ（Central Processing Unit）である。プロセッ
サ１０１は、主記憶部１０２の作業領域に実行可能に展開されたコンピュータプログラムを実行し、サーバ１０全体の制御を行う。プロセッサ１０１は、コンピュータプログラムの実行を通じて周辺機器の制御を行うことで所定の目的に合致した機能を提供する。プロセッサ１０１は、単一のプロセッサに限定される訳ではなく、マルチプロセッサ構成であってもよく、単一のソケットで接続される単一のＣＰＵがマルチコア構成であってもよい。なお、サーバ１０の提供する処理機能の一部が、ＤＳＰ（Digital Signal Processor）、ＡＳＩＣ（Application Specific Integrated Circuit）、ＧＰＵ（Graphics Processing Unit）等によって提供されてもよい。また、処理機能の少なくとも一部が、ＦＰＧＡ
（Field-Programmable Gate Array）、数値演算プロセッサ、画像処理プロセッサ等の専
用ＬＳＩ（large scale integration）、その他のディジタル回路、アナログ回路であっ
てもよい。
【００３９】
主記憶部１０２は、プロセッサ１０１が実行するコンピュータプログラム、プロセッサ１０１が処理するデータ等を記憶する。主記憶部１０２は、例えば、フラッシュメモリ、ＲＡＭ（Random Access Memory）やＲＯＭ（Read Only Memory）等である。補助記憶部１０３は、ＯＳ（Operating System）を含む各種のプログラムおよび各種のデータを読み書き自在に記録媒体に格納する不揮発性の記憶装置である。補助記憶部１０３は、例えば、フラッシュメモリ、ハードディスクドライブ（ＨＤＤ、Hard Disk Drive）、ＳＳＤ（Solid State Drive）等である。なお、ＯＳは、通信部１０４を介して接続される外部装置等とのデータの受け渡しを行う通信インターフェースプログラムを含む。通信部１０４は、ネットワークＮ１とのインタフェースである。通信部１０４は、例えば、ＬＡＮ（Local Area Network）インターフェースボード、無線通信のための無線通信回路を含む。サーバ１０は、通信部１０４を介して、ネットワークＮ１に接続し、ネットワークＮ１を通じて、装置２０＃１、２０＃２等と通信する。
【００４０】
なお、サーバ１０のハードウェア構成は、図４に示されるものに限定されない。サーバ１０は、例えば、可搬記録媒体に記録されたプログラムを読み込み、主記憶部１０２に展
開し、実行することができる。可搬記録媒体は、例えば、ＵＳＢ（Universal Serial Bus）メモリ、ＣＤ（Compact Disc）、ＤＶＤ（Digital Versatile Disc）、Ｂｌｕ−ｒａｙ（登録商標）ディスクのようなディスク記録媒体である。
【００４１】
装置２０は、プロセッサ２０１と、主記憶部２０２と、補助記憶部２０３と、表示部２０４Ａと、表示部２０４Ｂと、入力部２０５と、通信部２０６Ａと、通信部２０６Ｂと、位置情報検出部２０７と、センサ２０８とを有する。プロセッサ２０１、主記憶部２０２、補助記憶部２０３、通信部２０６Ａについては、サーバ１０のプロセッサ１０１、主記憶部１０２、補助記憶部１０３、通信部１０４と同様であるため、説明は省略される。上記の構成要素はそれぞれ複数に設けられてもよいし、一部の構成要素を設けないようにしてもよい。
【００４２】
表示部２０４Ａは、例えば、ＬＣＤ、ＥＬ（Electroluminescence）パネル等の表示デ
バイスである。表示部２０４Ａには、音声案内やメッセージ等を車両内に報知するためのスピーカ等が設けられるとしてもよい。表示部２０４Ｂは、車両外部に向けて広告情報を表示させる複数の表示装置からなるユニットである。表示部２０４Ｂは、例えば、ＬＣＤ等の液晶ディスプレイ、有機ＥＬディスプレイ、ＬＥＤマトリクス、プロジェクタなどで構成される。本実施形態においては、表示部２０４Ｂは、少なくとも車両後方に設けられた表示装置を含み、当該表示装置を介して広告情報が追走車両＃２向けに提供される。
【００４３】
入力部２０５は、例えば、文字等の記号を入力可能なタッチパネルや押しボタン、音声を入力可能なマイクロフォン、動画像や静止画像を撮像可能なカメラ等を含む。通信部２０６Ｂは、例えば、第５世代移動通信システム（５Ｇ）、ＵＷＢ、ＷｉＦｉ、ＢＬＥ等の無線通信に対応する通信回路である。先行車両＃１に搭載された装置＃１と、追走車両＃２に搭載された装置＃２とは、それぞれの通信部２０６Ｂを通じて車車間通信を行う。先行車両＃１の装置＃１は、通信部２０６Ｂを通じて追走車両＃２の走行に関する履歴情報を取得する。
【００４４】
位置情報検出部２０７は、装置２０が搭載される車両Ｖ１の位置情報を検出する手段である。位置情報検出部２０７は、例えば、地球の周囲を周回する複数のＧＰＳ（Global Positioning Satellite）衛星からのＧＰＳ信号に基づいて自装置の位置情報（緯度、経度等）を検出する。装置２０は、位置情報検出部２０７を介して検出された位置情報に基づいて、入力部２０５を介して操作入力された目的地までの経路案内（ナビゲーション機能）を行う。目的地までの経路は、補助記憶部２０３に格納された地図データを参照して設定される。装置２０は、例えば、表示部２０４Ａを介して表示された地図上に、検出された自車両の位置や目的地までの経路を重畳させて表示したり、交差点等では音声等を介して右左折等の進行方向案内を行うことで、目的地までの経路案内を提供する。なお、操作入力された目的地に関する目的地情報、地図データを参照して設定された目的地までの経路に関する経路情報は、主記憶部２０２の所定の領域に保持される。また、経路案内された目的地の履歴情報、走行軌跡等の走行に関する履歴情報は、補助記憶部２０３の所定の領域に記録される。
【００４５】
センサ２０８は、車両Ｖ１に搭載されたセンサの集合である。センサ２０８は、例えば、車速センサ、加速度センサ、レーダ、カメラ、方位角センサ等の、走行状態や車両周囲の状況に関連する情報を検出する一つ以上のセンサを含む。また、センサ２０８によって検出される情報には、車両Ｖ１に設けられた操作スイッチや操作ボタン等のステータス情報が含まれる。但し、センサ２０８によって検出される情報には、例えば、路車間通信や車車間通信を通じて取得された、車両近傍の混雑度、周辺車両の速度、信号機の制御等に関するデータが含まれてもよい。
【００４６】
（機能構成）
図５は、装置２０の機能構成の一例を示す図である。装置２０は、機能構成要素として、履歴管理部２１、履歴情報取得部２２、広告情報表示部２３を含む。これらの機能構成要素は、例えば、装置２０のプロセッサ２０１が、補助記憶部２０３に記憶された各種プログラムを主記憶部２０２に展開して実行することで提供される機能構成要素である。但し、各機能構成素のいずれか、またはその処理の一部がハードウェア回路により実行されてもよい。
【００４７】
履歴管理部２１は、先行車両＃１からの要求に応じて、補助記憶部２０３等に記録された自車両の走行の履歴に関する履歴情報（目的地履歴、走行軌跡等）を取得する。そして、履歴管理部２１は、例えば、先行車両＃１に搭載された装置＃１の装置ＩＤを宛先として、自装置（装置＃２）の装置ＩＤとともに自車両（追走車両＃２）の走行に関する履歴情報を車車間通信を通じて送信する。
【００４８】
履歴情報取得部２２は、通信部２０６Ｂを通じて応答された追走車両＃２の走行に関する履歴情報（以下、走行履歴情報ともいう）を取得する。また、履歴情報取得部２２は、位置情報検出部２０７を介して検出された自車両（先行車両＃１）の位置情報（緯度、経度等）を取得する。そして、履歴情報取得部２２は、追走車両＃２の走行履歴情報、装置＃２の装置ＩＤ、自車両（先行車両＃１）の位置情報をサーバ１０に送信する。上記情報は、先行車両＃１に等された装置＃１の装置ＩＤとともに、通信部２０６Ａを通じてサーバ１０に送信される。
【００４９】
広告情報表示部２３は、サーバ１０から配信された広告情報を取得し、補助記憶部２０３の所定の領域に格納する。サーバ１０から配信された広告情報には、後述するように、表示の際の優先情報が付加される。広告情報表示部２３は、広告情報に付与された優先指定にしたがって広告情報を表示させる。広告情報は、少なくとも、車両後方に配置された表示装置（表示部２０４Ｂ）に表示される。なお、広告情報表示部２３は、例えば、自車両の速度が予め設定された閾値（例えば、２０ｋｍ／ｈ）を下回ることを条件に広告情報を表示させてもよい。
【００５０】
図６は、サーバ１０の機能構成の一例を示す図である。サーバ１０は、機能構成要素として、新規店舗抽出部１１、車両情報取得部１２、広告配信部１３、ユーザ情報データベース（ＤＢ）１４、広告情報ＤＢ１５、新規情報ＤＢ１６、地図情報ＤＢ１７を含む。これらの機能構成要素は、例えば、サーバ１０のプロセッサ１０１が、補助記憶部１０３に記憶された各種プログラムを主記憶部１０２に展開して実行することで提供される機能構成要素である。但し、各機能構成素のいずれか、またはその処理の一部がハードウェア回路により実行されてもよい。また、各機能構成素のいずれか、またはその処理の一部がネットワークＮ１に接続された他のコンピュータにより実行されてもよい。
【００５１】
新規店舗抽出部１１は、広告情報ＤＢ１５で管理される広告情報の中から、所定期間内において、新規に開店した店舗等の広告情報を抽出して新規情報ＤＢ１６に格納する。新規に開店された店舗等は、例えば、商品やサービス等の提供が開始された時期を示す開店情報に基づいて抽出される。サーバ１０は、例えば、広告主である企業や店舗、施設等が運営するサーバ装置を介して広告情報に関するデータを受け付け、広告情報ＤＢ１５に登録する。なお、広告主には、地域の公共機関、広告の配信を仲介する広告代理店等が含まれる。新規店舗抽出部１１は、広告情報ＤＢ１５を参照し、広告情報に含まれる開店情報に基づいて、新規情報ＤＢ１６に格納される新規に開店した店舗等の広告情報を抽出する。当該広告情報の抽出は、定期的に実行される。
【００５２】
車両情報取得部１２は、先行車両＃１から送信された追走車両＃２に関する情報を取得
する。追走車両＃２に関する情報には、追走車両＃２に搭載された装置＃２の装置ＩＤと、走行履歴情報（目的地履歴、走行軌跡等）が含まれる。また、車両情報取得部１２は、先行車両＃１から送信された位置情報（緯度、経度等）等を、装置＃１の装置ＩＤとともに取得する。車両情報取得部１２は、追走車両＃２に関する情報を主記憶部１０２の所定の領域に一時的に記憶する。同様にして、先行車両＃１の位置情報、装置＃１の装置ＩＤを時刻情報とともに主記憶部１０２に記憶する。車両情報取得部１２は、追走車両＃２に関する情報、先行車両＃１の位置情報、装置＃１の装置ＩＤを広告配信部１３に引き渡す。
【００５３】
広告配信部１３は、車両情報取得部１２から引き渡された追走車両＃２に関する情報、先行車両＃１の位置情報に基づいて、先行車両＃１の車両後方に表示される広告情報を選定する。広告配信部１３は、例えば、新規情報ＤＢ１６を参照し、先行車両＃１の位置情報に基づいて、所定範囲内に位置する新規に開店した店舗等の広告情報を選定する。
【００５４】
また、広告配信部１３は、装置＃２の装置ＩＤに基づいて、追走車両＃２のユーザの属性に関する属性情報（例えば、年齢や性別、職業、嗜好や趣味等）を特定する。属性情報の特定は、ユーザ情報ＤＢ１４を参照して行われる。そして、広告配信部１３は、広告情報ＤＢ１５を参照し、追走車両＃２のユーザの属性情報に対応した広告情報を選定する。
【００５５】
広告配信部１３は、新規に開店した店舗等の広告情報に、他の広告情報に優先させて表示させるための優先情報（例えば、優先指定を示す識別子）を付与し、先行車両＃１に配信する。また、広告配信部１３は、追走車両＃２のユーザの趣味や嗜好等に基づいて選定された広告情報を先行車両＃１に配信する。
【００５６】
先行車両＃１は、優先情報が付与された新規に開店した店舗等の広告情報、追走車両＃２のユーザの趣味や嗜好等に基づいて選定された広告情報を補助記憶部２０３の所定の領域に格納する。そして、先行車両＃１は、広告情報に付与された優先情報にしたがって、車両後方に設けられた表示装置（表示部２０４Ｂ）に当該広告情報を表示させる。すなわち、追走車両＃２のユーザには、走行領域の新規に開店した店舗等の広告情報が、当該ユーザの趣味や嗜好等に基づいて選定された広告情報に優先させて提供される。
【００５７】
なお、広告配信部１３は、新規に開店した店舗等の広告情報の選定の際に、追走車両＃２の走行履歴情報を反映させる。すなわち、広告配信部１３は、追走車両＃２の走行履歴情報に記録のない店舗等の広告情報を選定する。新規に開店した店舗等の中から、追走車両＃２のユーザが、未だ訪問したことのない店舗等に関する広告情報が選定される。そして、広告配信部１３は、選定された広告情報に、優先情報を付与し先行車両＃１に配信する。追走車両＃２のユーザが未だ訪問したことのない店舗等に関する広告情報は、当該ユーザの趣味や嗜好等に基づいて選定された広告情報とともに先行車両＃１に配信される。
【００５８】
先行車両＃１は、広告情報に付与された優先情報にしたがって、車両後方に設けられた表示装置（表示部２０４Ｂ）にサーバ１０から配信された広告情報を表示させる。この結果、新規に開店した店舗等の中の、追走車両＃２のユーザが未だ訪問したことのない店舗等に関する広告情報が、当該ユーザの趣味や嗜好等に基づいて選定された広告情報に優先させて提供される。
【００５９】
ユーザ情報ＤＢ１４は、装置２０を搭載する車両Ｖ１のユーザに関する情報を管理する。ユーザに関する情報は、例えば、ユーザの所有するスマートフォン、タブレット端末、個人情報端末、ＰＣ（Personal Computer）等の情報処理端末を介して登録される。
【００６０】
図７は、ユーザ情報ＤＢ１４に格納されるユーザ情報の一例を示す図である。ユーザ情
報は、図７に例示のように、ユーザ情報テーブルとして管理される。ユーザ情報テーブルに登録される情報は、適宜にフィールドの追加、変更、削除が可能である。
【００６１】
図７に例示のユーザ情報テーブルは、装置ＩＤ、車両ＩＤ、性別、年齢、職業、家族構成、興味の各フィールドを含んで構成される。装置ＩＤには、車両Ｖ１に搭載される装置２０を一意に識別する識別情報（装置ＩＤ）が格納される。装置ＩＤは、装置２０のＩＰアドレス、ＭＡＣアドレス（Media Access Control address）を含んでもよい。車両ＩＤには、車両Ｖ１を一意に識別する識別情報（車両ＩＤ）が格納される。車両ＩＤは、例えば、自動車登録番号（ナンバープレートに標記された番号）である。
【００６２】
性別には、ユーザの性別を示す情報（男性、女性等）が格納される。年齢には、ユーザの年齢（年代）を示す情報が格納される。職業には、ユーザの職業を示す情報が格納される。職業には、業種や職種を示す情報が含まれてもよい。家族構成には、ユーザの家族構成を示す情報（人数等）が格納される。
【００６３】
興味には、ユーザの趣味や興味のある関心事を示す情報が格納される。当該フィールドに格納される情報は複数の登録が可能であり、図７の例では３つの興味を示す情報が例示されている。例えば、年齢「４０代」の男性であるユーザＩＤ「Ｕ１０１」では、「釣り」、「温泉」、「動物観賞」が格納され、年齢「２０代」の女性であるユーザＩＤ「Ｕ１０２」では、「旅行」、「ショッピング」、「食べ歩き」が格納されている。
【００６４】
広告配信部１３は、追走車両＃２に搭載された装置＃２の装置ＩＤに基づいて、ユーザ情報ＤＢ１４に登録されたレコードを特定する。そして、広告配信部１３は、当該レコードに格納されたユーザの属性情報（性別、年齢、職業、家族構成、興味等）に基づいて、先行車両＃１に配信する広告情報を選定する。
【００６５】
図６に戻り、広告情報ＤＢ１５は、車両Ｖ１に配信される広告情報を管理する。図８は、広告情報ＤＢ１５に格納される広告情報の一例を示す図である。広告情報は、図８に例示のように、広告情報テーブルとして管理される。広告情報テーブルに登録される情報は、適宜にフィールドの追加、変更、削除が可能である。
【００６６】
図８に例示の広告情報テーブルは、広告ＩＤ、ジャンル、領域ＩＤ、表示期間、表示種別、特典情報、広告データ、対象、所在地、開店情報、事業者ＩＤの各フィールドを有する。広告ＩＤには、広告主から受け付けた広告コンテンツを識別する識別情報（広告ＩＤ）が格納される。広告ＩＤは、広告コンテンツの登録時に付与される。ジャンルには、広告情報で宣伝される商品やサービスの属する区分を示す情報が格納される。領域ＩＤには、商品やサービスを提供する店舗や施設等が位置する地域を示す情報（領域ＩＤ）が格納される。領域ＩＤは、例えば、上記店舗や施設等が位置する地域の地域メッシュ情報（標準地域メッシュコード、分割地域メッシュコード等）である。
【００６７】
表示期間には、広告情報を配信する期間を示す情報が格納される。表示期間は、広告情報を表示させるための時間帯を含んでもよい。表示種別には、広告コンテンツの表示形態を示す情報が格納される。広告コンテンツの表示形態として、静止画像、スライドショー、動画像等が例示される。特典情報には、広告主がユーザに提供する特典（クーポン、利用料金の割引き等）の内容が格納される。なお、特典情報が存在しないときには、当該特典情報が存在しないことを示す情報（例えば、「---」や空欄等）が格納される。広告デ
ータには、広告コンテンツのデータが格納される。但し、広告データに格納される情報は、他のテーブル等に格納された広告データを示す識別番号であってもよい。
【００６８】
対象には、広告コンテンツの宣伝対象になるユーザを指定する情報が格納される。当該
フィールドに格納される情報は複数の登録が可能であり、図８の例では、年齢、性別を指定する情報が例示されている。例えば、広告ＩＤ「Ｔ２０１」では、年齢「４０以下」の性別「女性」を対象に指定し、広告ＩＤ「Ｔ２０３」は、年齢「２０−４０」の性別「女性」を対象に指定している。なお、宣伝対象になるユーザの指定が存在しない場合には、当該指定が存在しないことを示す情報（例えば、「---」や空欄等）が格納される。
【００６９】
所在地には、広告情報で宣伝される商品やサービスを提供する店舗や施設等の所在地を示す情報が格納される。所在地を示す情報として、当該店舗等の位置する緯度、経度等の位置情報が例示される。但し、所在地を示す情報は、住所等であってもよい。開店情報には、商品やサービス等の提供が開始された時期を示す情報（年歴、月歴、日歴等）が格納される。図８の例では、開店情報「２０１８／０８／１６」の日付で開店したジャンル「イタリアンレストラン」、開店情報「２０１８／１０／０１」の日付で開店したジャンル「菓子（パン）」の広告情報が例示されている。事業者ＩＤには、広告情報の提供者を識別する識別情報（事業者ＩＤ）が格納される。事業者ＩＤは、例えば、広告情報の提供者に付与された事業者コードである。
【００７０】
図６の新規店舗抽出部１１は、広告情報ＤＢ１５に登録された広告情報の、商品やサービス等の提供が開始された時期を示す開店情報に基づいて、所定期間内に新規に開店した店舗等の広告情報を抽出し、新規情報ＤＢ１６に格納する。なお、新規情報ＤＢ１６に格納される広告情報は、図８と同様の内容であるため、説明が省略される。
【００７１】
広告配信部１３は、広告情報ＤＢ１５に登録された広告情報のジャンルと、ユーザ情報ＤＢ１４に登録されたユーザの属性情報（性別、年齢、職業、家族構成、興味等）とに基づいて広告情報を選定する。例えば、図７の興味フィールドに「食べ歩き」が格納されたユーザＩＤ「Ｕ１０２」に対して、図８のジャンル「イタリアンレストラン」、「菓子（パン）」に区分けされた広告ＩＤ「Ｔ２０１」、「Ｔ２０２」が関連する広告情報として選定される。
【００７２】
地図情報ＤＢ１７には、地物位置を含む地図データ、当該地図データ上の各地点の特性を示す文字や写真等のＰＯＩ（Point of interest）情報を含む地図情報が格納される。
なお、地図情報ＤＢ１７は、ネットワークＮ１に接続される他のシステム、例えば、ＧＩＳ（Geographic Information System）から提供されてもよい。
【００７３】
（処理の流れ）
次に、図９から図１１を参照して、本実施形態に係る広告システム１の処理を説明する。図９から図１１の処理は、定期的に実行される。図９は、サーバ１０、先行車両＃１に搭載される装置＃１、追走車両＃２に搭載される装置＃２が実行する処理手順の一例を示すシーケンス図である。
【００７４】
図９において、先行車両＃１に搭載された装置＃１は、追走車両＃２に搭載された装置＃２に対して、走行に関する走行履歴情報（目的地履歴、走行軌跡等）の通知要求を送信する（Ｓ１）。走行履歴情報の通知要求は、先行車両＃１と追走車両＃２との間の車車間通信のリンク確立後に行われる。装置＃１は、装置＃２の装置ＩＤを宛先として、走行履歴情報の通知要求を送信する。
【００７５】
装置＃２は、先行車両＃１（装置＃１）からの走行履歴情報の通知要求を受け付けると、走行履歴情報の応答処理を実行する。装置＃２は、例えば、補助記憶部２０３の所定の領域に記録された走行履歴情報を取得する（Ｓ２）。そして、装置＃２は、取得した走行履歴情報に自装置の装置ＩＤを付加し、先行車両＃１に通知する（Ｓ３）。
【００７６】
装置＃１は、追走車両＃２（装置＃２）から通知された、走行履歴情報の通知を受け付けると、走行履歴情報を取得する（Ｓ４）。また、装置＃１は、位置情報検出部２０７を介して検出された自車両の現在の位置情報を取得する（Ｓ５）。装置２０＃１は、走行履歴情報、自車両の位置情報を主記憶部２０２の所定の領域に一時的に記憶する。装置＃１は、追走車両＃２の走行履歴情報と自車両の位置情報を、通信部２０６Ａを通じてサーバ１０に通知する。追走車両＃２の走行履歴情報、装置＃２の装置ＩＤ、自車両の位置情報は、ネットワークＮ１を通じて広告情報を配信するサーバ１０に送信される。なお、追走車両＃２が存在しない場合には、Ｓ５の処理で取得された自車両の位置情報がサーバ１０に通知される。
【００７７】
サーバ１０は、ネットワークＮ１を通じて先行車両＃１（装置＃１）から送信された通知を受け付けると、広告情報の配信処理を実行する（Ｓ７）。Ｓ７の処理で選定された広告情報が、先行車両＃１に配信される。Ｓ７の処理の詳細は、図１０を用いて説明される。
【００７８】
図１０は、Ｓ７の詳細な処理の一例を示すフローチャートである。図１０において、サーバ１０は、先行車両＃１の装置＃１から送信された通知を取得する（Ｓ１１）。追走車両＃２が存在する場合には、追走車両＃２の走行履歴情報、装置＃２の装置ＩＤ、先行車両＃１の位置情報が取得される。また、追走車両＃２が存在しない場合には、先行車両＃１の位置情報が取得される。
【００７９】
Ｓ１２の処理では、サーバ１０は、追走車両＃２が存在するか否かを判断する。追走車両＃２の存在は、例えば、Ｓ１１の処理で取得した通知に追走車両＃２に搭載された装置＃２の装置ＩＤが含まれているかで判断される。
【００８０】
サーバ１０は、Ｓ１１の処理で取得した通知に装置＃２の装置ＩＤが含まれている場合には（Ｓ１２、“Ｙｅｓ”）、追走車両＃２が存在すると判断し、Ｓ１３の処理に移行する。一方、サーバ１０は、Ｓ１１の処理で取得した通知に装置＃２の装置ＩＤが含まれていない場合には（Ｓ１２、“Ｎｏ”）、先行車両＃１と車車間通信を通じて通信可能な追走車両＃２は存在しないと判断し、Ｓ１８の処理に移行する。
【００８１】
Ｓ１３の処理では、サーバ１０は、追走車両＃２に関する情報を取得する。追走車両＃２に関する情報には、追走車両＃２の走行履歴情報、装置＃２の装置ＩＤが含まれる。サーバ１０は、装置＃２の装置ＩＤに基づいて、追走車両＃２のユーザ情報を取得する（Ｓ１４）。サーバ１０は、例えば、ユーザ情報ＤＢ１４を参照し、装置＃２の装置ＩＤに対応するレコードを特定する。サーバ１０は、ユーザ情報ＤＢ１４から特定されたレコードをＳ１７の処理に引き渡す。
【００８２】
Ｓ１５の処理では、サーバ１０は、先行車両＃１の位置情報を取得する。サーバ１０は、位置情報と先行車両＃１に搭載された装置＃１の装置ＩＤ、時刻情報を対応付けて主記憶部１０２の所定の領域に一時的に記憶し、Ｓ１６の処理に移行する。
【００８３】
Ｓ１６の処理では、追走車両＃２の走行履歴情報、先行車両＃１の位置情報に基づいて、優先表示させる新規の広告情報が選定される。サーバ１０は、例えば、新規情報ＤＢ１６を参照し、先行車両＃１の走行位置に対して所定範囲内に位置する新規に開店した店舗等のレコードを特定する。当該レコードの特定は、所在地フィールドに格納された店舗等の所在地を示す情報に基づいて行われる。サーバ１０は、例えば、先行車両＃１の走行位置に対して所定範囲内に所在地が含まれる、新規に開店した店舗等のレコードを特定する。
【００８４】
そして、サーバ１０は、先行車両＃１の位置情報から特定されたレコードの中から、追走車両＃２の走行履歴情報に記録のない店舗等のレコードをさらに絞り込む。サーバ１０は、例えば、目的地履歴に記録された目的地情報が、開店時期以降の、新規に開店した店舗等の所在地や当該店舗等の駐車場を示す場合には、ユーザは既に当該店舗を訪問したものと推定する。同様にして、開店時期以降に記録された走行軌跡に、新規に開店した店舗等の所在地や当該店舗等の駐車場が含まれる場合には、ユーザは既に当該店舗を訪問したものと推定する。サーバ１０は、先行車両＃１の位置情報から特定されたレコードの中から、既に訪問されたものと推定される店舗等以外のレコードを選定する。そして、サーバ１０は、選定されたレコードに格納された広告情報（広告データ）を取得し、当該広告情報に他の広告情報に優先させて表示させるための優先情報（例えば、優先指定を示す識別子）を付与し、Ｓ１Ｂの処理に引き渡す。
【００８５】
Ｓ１７の処理では、サーバ１０は、追走車両＃２のユーザに関する情報（ユーザ情報）と、先行車両＃１の位置情報とに基づいて広告情報を選定する。サーバ１０は、例えば、広告情報ＤＢ１５を参照し、現在の日付が表示期間内であり、先行車両＃１から取得された位置情報に対応する領域ＩＤの広告情報のレコードを特定する。そして、特定されたレコードの中から、ユーザの属性情報（性別、年齢、職業、家族構成、興味等）に関連する広告情報を選定する。例えば、ユーザの興味等に対応するジャンルに区分された広告情報のレコードが選定される。また、ユーザの性別や年齢、職業や家族構成と、対象フィールドに指定された条件とが合致する広告情報のレコードが選定される。サーバ１０は、選定されたレコードに格納された広告情報（広告データ）を取得し、Ｓ１Ｂの処理に引き渡す。
【００８６】
Ｓ１８の処理では、先行車両＃１の位置情報が取得される。サーバ１０は、位置情報と先行車両＃１に搭載された装置＃１の装置ＩＤ、時刻情報を対応付けて主記憶部１０２の所定の領域に一時的に記憶し、Ｓ１９の処理に移行する。
【００８７】
Ｓ１９の処理では、先行車両＃１の位置情報に基づいて、優先表示させる新規の広告情報が選定される。サーバ１０は、例えば、新規情報ＤＢ１６を参照し、所在地フィールドに格納された店舗等の所在地が、先行車両＃１の走行位置に対して所定範囲内に位置する新規に開店した店舗等のレコードを選定する。そして、サーバ１０は、選定されたレコードに格納された広告情報（広告データ）を取得し、当該広告情報に他の広告情報に優先させて表示させるための優先情報（例えば、優先表示を示す識別子）を付与し、Ｓ１Ｂの処理に引き渡す。
【００８８】
Ｓ１Ａの処理では、先行車両＃１から取得された位置情報に基づいて、当該先行車両に表示させる広告情報が選定される。サーバ１０は、例えば、広告情報ＤＢ１５を参照し、現在の日付が表示期間内であり、先行車両＃１から取得された位置情報に対応する領域ＩＤの広告情報のレコードを特定する。そして、サーバ１０は、選定されたレコードに格納された広告情報（広告データ）を取得し、Ｓ１Ｂの処理に引き渡す。Ｓ１Ａに処理により、不特定多数のユーザを宣伝対象とした、走行位置に対応する領域ＩＤの広告情報が選定される。
【００８９】
Ｓ１Ｂの処理では、サーバ１０は、Ｓ１６からＳ１７、Ｓ１９からＳ１Ａの処理で選定された広告情報を通信部１０４を通じて先行車両＃１に配信する。サーバ１０は、装置＃１の装置ＩＤを宛先として、選定された広告情報をネットワークＮ１に送信する。Ｓ１Ｂの処理後、図１０の処理が終了される。
【００９０】
追走車両＃２が存在するときには、当該追走車両に記録された走行履歴情報を反映させた、所定期間内に開店した新規店舗等の広告情報が優先情報とともに先行車両＃１に配信
される。また、追走車両＃２のユーザ属性情報（性別、年齢、職業、家族構成、興味等）に関連する広告情報が先行車両＃１に配信される。
【００９１】
先行車両＃１と通信可能な追走車両＃２が存在しないときには、先行車両＃１の走行位置に対して所定範囲内に存在する新規店舗等の広告情報が、優先情報とともに先行車両＃１に配信される。また、現在の日付が表示期間内であり、先行車両＃１の走行位置を領域内に含む領域ＩＤの広告情報が先行車両＃１に配信される。
【００９２】
図９に戻り、先行車両＃１に搭載された装置＃１は、通信部２０６Ａを通じて、サーバ１０から自装置宛に配信された広告情報を受け付けると、広告情報の表示処理を実行する（Ｓ８）。Ｓ８の処理により、所定期間内に商品やサービス等の提供が開始された新規店舗に関する広告情報が、他の広告情報に優先させて先行車両＃１の車両後方に設けられた表示装置（表示部２０４Ｂ）に表示される。Ｓ８の処理の詳細は、図１１を用いて説明される。
【００９３】
図１１は、Ｓ８の詳細な処理の一例を示すフローチャートである。図１１において、装置＃１は、サーバ１０から配信された広告情報を取得する（Ｓ２１）。装置＃１は、取得した広告情報を主記憶部２０２の所定の領域に一時的に記憶し、Ｓ２２の処理に移行する。
【００９４】
Ｓ２２の処理では、装置＃１は、優先情報（優先表示の指定）が付与された広告情報が有るかを判断する。装置＃１は、優先情報が付与された広告情報が有る場合には（Ｓ２２、“Ｙｅｓ”）、Ｓ２３の処理に移行する。Ｓ２３の処理では、装置＃１は、優先情報が付与された新規店舗等に関する広告情報を、車両後方の表示装置（表示部２０４Ｂ）に表示させる。Ｓ２３の処理後、装置＃１は、Ｓ２４の処理に移行する。
【００９５】
一方、装置＃１は、優先情報が付与された広告情報がない場合には（Ｓ２２、“Ｎｏ”）、Ｓ２４の処理に移行する。Ｓ２４の処理では、装置＃１は、優先指定のない（優先情報が付与されていない）広告情報を、車両後方の表示装置に表示させる。
【００９６】
Ｓ２３からＳ２４の処理により、追走車両＃２が存在するときには、当該追走車両に記録された走行履歴情報を反映させた、所定期間内に開店した新規店舗等の広告情報が、ユーザ属性情報に関連する広告情報に優先させて表示される。また、追走車両＃２が存在しないときには、先行車両＃１の走行位置に対して所定範囲内に存在する新規店舗等の広告情報が、先行車両＃１の走行位置を領域内に含む領域ＩＤの表示期間内の広告情報に優先させて表示される。
【００９７】
なお、広告情報の表示について、装置＃１は、自車両の速度が予め設定された閾値（例えば、２０ｋｍ／ｈ）を下回ることを条件に、Ｓ２３からＳ２４の処理を実行してもよい。自車両に追走する追走車両＃２の走行に関する安全性を考慮した、広告情報の提供が可能になる。Ｓ２４の処理後、図１１の処理が終了し、図９の処理が終了される。
【００９８】
以上の処理により、本実施形態に係る広告システム１では、サーバ１０は、店舗等の商品やサービス等の提供が開始された時期を示す開店情報に基づいて、所定期間内に新規に開店した店舗等の広告情報を抽出して新規情報ＤＢ１６に登録できる。そして、サーバ１０は、新規情報ＤＢ１６を参照し、車両Ｖ１から取得された走行位置に対して所定範囲内の新規に開店した店舗等の広告情報を選定できる。サーバ１０は、選定された広告情報に他の広告情報よりも優先させて表示させるための優先情報（優先表示の指定）を付与し、車両Ｖ１に配信できる。車両Ｖ１は、広告情報に付与された優先情報にしたがって、所定期間内に新規に開店した店舗等の広告情報を他の広告情報に優先させて車両外部に向けて
表示できる。本実施形態によれば、新たに開店した店舗等に関する広告情報の広告効果を高めて提供することができる。
【００９９】
本実施形態に係る広告システム１では、サーバ１０は、先行車両＃１に追走する追走車両＃２から、走行に関する履歴情報（目的地履歴、走行軌跡等）を取得できる。そして、サーバ１０は、当該履歴情報を反映させて新規に開店した店舗等に関する広告情報を選定できる。本実施形態によれば、追走車両のユーザが未だ訪問したことのない新たに開店した店舗等に関する広告情報が提供できる。
【０１００】
（変形例１）
変形例１の広告システム１は、追走車両＃２が主体になって先行車両＃１の車両後方に設けられた表示装置に新規に開店した店舗等に関する広告情報を表示させる。
【０１０１】
変形例１の装置＃２は、先行車両＃１との間の車車間通信の確立後、例えば、自車両（追走車両＃２）の位置情報の取得を契機として、走行に関する履歴情報、先行車両＃１に搭載された装置＃１の装置ＩＤ、位置情報をサーバ１０に送信する。また、装置＃２は、自車両が先行車両＃１を追走する追走車両＃２であることを示す情報（識別子）と、自装置の装置ＩＤとをサーバ１０に送信する。
【０１０２】
変形例１のサーバ１０は、ネットワークＮ１を通じて、装置＃２から送信された上記情報を取得する。そして、変形例１のサーバ１０は、上記識別子に基づいて、装置＃２が先行車両＃１を追走する追走車両＃２に搭載された車載装置であることを特定する。変形例１のサーバ１０は、装置＃２から送信された位置情報、走行に関する履歴情報に基づいて、図１０の処理を実行し、先行車両＃１に配信する広告情報を選定する（Ｓ１２からＳ１Ｂ）。選定された広告情報は、先行車両＃１に搭載された装置＃１の装置ＩＤを宛先としてネットワークＮ１に送信される。
【０１０３】
変形例１の装置＃１は、サーバ１０から配信された広告情報に基づいて、図１１の処理を実行する。変形例１の形態においても、広告システム１は、新たに開店した店舗等に関する広告情報の広告効果を高めてユーザに提供できる。
【０１０４】
（変形例２）
変形例２の広告システム１は、追走車両＃２から目的地に関する目的地情報、目的地に至る経路情報等の行先情報を取得し、当該行先情報に対応した、新規に開店した店舗等に関する広告情報を先行車両＃１に表示させる形態である。
【０１０５】
変形例２の装置＃１は、例えば、装置＃２から追走車両＃２の目的地に関する目的地情報、目的地に至る経路情報等を取得し、装置＃２の装置ＩＤとともに、サーバ１０に送信する。また、装置＃１は、自車両（先行車両＃１）の位置情報を取得し、サーバ１０に送信する。変形例２の装置＃１は、例えば、図９における走行履歴情報の取得手順（Ｓ１からＳ６）と同様の処理で、装置＃２から追走車両＃２の目的地に関する目的地情報、目的地に至る経路情報等の行先情報を取得し、サーバ１０に送信すればよい。
【０１０６】
変形例２のサーバ１０は、ネットワークＮ１を通じて、追走車両＃２の行先情報を受け付けると、図１２の処理を実行し、先行車両＃１に配信する広告情報を選定する。図１２は、変形例２におけるＳ７の詳細な処理の一例を示すフローチャートである。図１２の変形例２の処理においては、図１０のＳ１３、Ｓ１６に替えて、Ｓ３１、Ｓ３２の処理が実行されることで第１実施形態の処理と相違する。以下、相違点を主に説明する。
【０１０７】
図１２のＳ３１の処理では、サーバ１０は、追走車両＃２の行先情報（目的地情報、経
路情報等）、装置＃２の装置ＩＤを含む追走車両＃２に関する情報が取得される。そして、Ｓ３２の処理では、サーバ１０は、追走車両＃２の行先情報、先行車両＃１の位置情報に基づいて、優先表示させる新規の広告情報を選定する。
【０１０８】
サーバ１０は、例えば、新規情報ＤＢ１６を参照し、目的地情報で指定された領域内の、所定期間内に商品やサービス等の提供を開始した店舗等に関する広告情報を選定する。同様にして、経路情報で指定された経路上の、所定範囲内に存在する、所定期間内に商品やサービス等の提供を開始した店舗等に関する広告情報を選定する。サーバ１０は、選定された広告情報に、他の広告情報に優先させて表示させるための優先情報（優先指定を示す識別子）を付与し、Ｓ１Ｂの処理に引き渡す。変形例２のＳ１Ｂの処理では、図１０と同様にして、優先情報が付与された、追走車両＃２の目的地に関する目的地情報、目的地に至る経路情報等に基づいて選定された新規の店舗等に関する広告情報が先行車両＃１に配信される。
【０１０９】
変形例２の装置＃１は、サーバ１０から配信された広告情報に基づいて、図１１の処理を実行する。変形例２の形態においては、広告システム１は、追走車両＃２の目的地情報や経路情報等の行先情報に対応した、新規に開店した店舗等に関する広告情報を継続してユーザに提供できる。なお、変形例２においても、変形例１の形態、すなわち、追走車両＃２が主体となって先行車両＃１の車両後方に設けられた表示装置に新規に開店した店舗等に関する広告情報を表示させる形態が適用できる。
【０１１０】
＜その他の実施形態＞
上記の実施形態はあくまでも一例であって、本実施の形態の開示はその要旨を逸脱しない範囲内で適宜変更して実施しうる。本開示において説明した処理や手段は、技術的な矛盾が生じない限りにおいて、自由に組み合わせて実施することができる。
【０１１１】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【０１１２】
情報処理装置その他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０１１３】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ等がある。
【符号の説明】
【０１１４】
１      広告システム
１０    広告配信サーバ
１１    新規店舗抽出部
１２    車両情報取得部
１３    広告配信部
１４    ユーザ情報ＤＢ
１５    広告情報ＤＢ
１６    新規情報ＤＢ
１７    地図情報ＤＢ
２０    車載装置
２１    履歴管理部
２２    履歴情報取得部
２３    広告情報表示部
【図１】
2020076838.tif 000003
【図２】
2020076838.tif 000004
【図３】
2020076838.tif 000005
【図４】
2020076838.tif 000006
【図５】
2020076838.tif 000007
【図６】
2020076838.tif 000008
【図７】
2020076838.tif 000009
【図８】
2020076838.tif 000010
【図９】
2020076838.tif 000011
【図１０】
2020076838.tif 000012
【図１１】
2020076838.tif 000013
【図１２】
2020076838.tif 000014